(57)【要約】      （修正有）【課題】一枚の装飾シートであっても複数の絵柄を表示することができ、しかも装飾シート自体を容易に交換可能とする携帯端末の装飾シートを提供する。【解決手段】装飾対象であるスマートフォンのディスプレイ部と反対側をなす背面部に配置される装飾シート１０と透明のカバー部材とからなり、装飾シート１０は、シート基材１１と、このシート基材１１に配置された微小なシンドリカルレンズ１３−１、１３−２、１３−３…、からなるレンチキュラーレンズシート１３と、シート基材１１とレンチキュラーレンズシート１３の間に配置され、視認方向によりレンチキュラーレンズシート１３を透過して複数の絵柄を表示する複数の分割領域１２Ａ、１２Ｂ、１２Ｃからなる絵柄表示部１２とを備える。【選択図】図３
0003209850.tif 000002
【実用新案登録請求の範囲】
【請求項１】
装飾対象である携帯端末のディスプレイ部と反対側をなす背面部に配置される装飾シートであって、
シート基材と、このシート基材に配置されたレンチキュラーレンズシートと、前記シート基材と前記レンチキュラーレンズシートの間に配置され、視認方向により前記レンチキュラーレンズシートを透過して複数の絵柄を表示する絵柄表示部と、を備えることを特徴とする携帯端末の装飾シート。
【請求項２】
前記シート基材、及び前記レンチキュラーレンズシートは、柔軟で薄いシート状部材で構成されており、前記携帯端末の前記背面部を覆う形状に形成されていることを特徴とする請求項１に記載の携帯端末の装飾シート。
【請求項３】
前記絵柄表示部は、前記レンチキュラーレンズシートを通して異なる視認方向から視認される複数種類の絵柄を表示することを特徴とする請求項１又は請求項２に記載の携帯端末の装飾シート。
【請求項４】
前記絵柄表示部は、異なる対象物の絵柄、対象物の動作を順次表示する絵柄、又は対象物の立体画像を表示する絵柄を表示することを特徴とする請求項３に記載の携帯端末の装飾シート。
【請求項５】
前記携帯端末の前記背面部を覆う透明部材で形成された背面カバー部及び前記背面カバー部に連続して前記携帯端末の側面部の少なくとも一部を覆って前記携帯端末に装着可能とする側面部を備えるカバー部材と、前記携帯端末の前記背面部と前記カバー部材の前記背面カバー部材との間に挟み込める大きさである請求項１から請求項４までの何れか一項に記載の携帯端末の装飾シートとを備えることを特徴とする携帯端末の装飾カバー。
【考案の詳細な説明】
【技術分野】
【０００１】
本考案は、スマートフォン等の携帯端末に取付ける装飾シートに関する。
【背景技術】
【０００２】
従来、スマートフォン等の携帯端末を装飾するものとして様々なものがある。例えば、スマートフォンの裏面や側面を覆うカバーや、スマートフォンの裏面に貼り付ける装飾シートが市販されている。このようなカバーや装飾シートについては、興味を引く意匠が求められたり、簡単に変更ができたりするものが求められる。
【０００３】
特許文献１には、前記携帯端末の背面部と、前記カバー体の背面部との問に配置される装飾シートであって、プリンタで印刷することができる装飾シート素材、及び模様の印刷を施した装飾シート素材を携帯端末の裏面との間に挟む透明カバー体とを備えたカバー構造が記載されている。
【先行技術文献】
【特許文献】
【０００４】
【特許文献１】実登３１７８２１６号公報
【考案の概要】
【考案が解決しようとする課題】
【０００５】
しかし、特許文献１を含む従来の装飾用シートは、一度端末に装着すると、装飾シートの模様は変化せず飽きられやすいし、表示される模様を変更するには、シート自体を変更する必要がある。
【０００６】
そこで、本考案は、一枚の装飾シートであっても複数の絵柄を表示することができ、しかも装飾シート自体を容易に交換することができる携帯端末の装飾シート、及び携帯端末の装飾カバーを提供することを課題とする。
【課題を解決するための手段】
【０００７】
前記課題を解決する請求項１に記載の考案は、装飾対象である携帯端末のディスプレイ部と反対側をなす背面部に配置される装飾シートであって、シート基材と、このシート基材に配置されたレンチキュラーレンズシートと、前記シート基材と前記レンチキュラーレンズシートの間に配置され、視認方向により前記レンチキュラーレンズシートを透過して複数の絵柄を表示する絵柄表示部と、を備えることを特徴とする携帯端末の装飾シートである。
本考案によれば、レンチキュラーレンズシートの作用により視認方法により絵柄表示部の異なる絵柄が表示される。
よって、一枚の携帯端末の装飾シートで複数の絵柄を視認方向によって表示でき、変化に富み興味を引く。
【０００８】
同じく請求項２に記載の考案は、前記シート基材、及び前記レンチキュラーレンズシートは、柔軟で薄いシート状部材で構成されており、前記携帯端末の前記背面部を覆う形状に形成されていることを特徴とする。
本考案によれば、シート基材、シート基材、及びレンチキュラーレンズシートが柔軟で薄いシート状部材で携帯端末の前記裏面を覆う形状に形成されている。
よって、携帯端末に嵩張ることなく密着して配置できる。
【０００９】
同じく請求項３に記載の考案は、前記絵柄表示部は、前記レンチキュラーレンズシートを通して異なる視認方向に複数種類の絵柄を表示することを特徴とする。
本考案によれば、レンチキュラーレンズシートを通して異なる視認方向に複数種類の絵柄を表示する。
よって、携帯端末の装飾シートを異なる視線から観察すると、異なる絵柄を観察でき興味が引かれる。
【００１０】
同じく請求項４に記載の考案は、前記絵柄表示部は、異なる対象物の絵柄、対象物の動作を順次表示する絵柄、又は対象物の立体画像を表示する絵柄を表示することを特徴とする。
本考案によれば、異なる複数の対象物の画像、対象物の動作を順次表示する絵柄、又は対象物の立体画像を表示する絵柄を表示できる。
よって、携帯端末の装飾シートを異なる視線から観察することにより、異なる対象物の絵柄、分解写真のように動作を表示する絵柄、又は対象物の立体画像を観察でき興味が引かれる。
【００１１】
同じく請求項５に記載の考案は、前記携帯端末の前記背面部を覆う透明部材で形成された背面カバー部及び前記背面カバー部に連続して前記携帯端末の側面部の少なくとも一部を覆って前記携帯端末に装着可能とする側面部を備えるカバー部材と、前記携帯端末の前記背面部と前記カバー部材の前記背面カバー部材との間に挟み込める大きさである前記携帯端末の装飾シートとを備えることを特徴とする携帯端末の装飾カバーである。
本考案によれば、装飾シートは携帯端末の背面部に配置され、透明なカバー部材の背面カバー部で覆われ、カバー部材は側面部で携帯端末に装着されている。
よって、異なる視認方向から異なる絵柄を表示する装飾シートの表面視認可能に保護されるとともに、一枚の装飾シートであっても複数の絵柄を表示することができ、しかも装飾シート自体を容易に交換することができる。
【考案の効果】
【００１２】
本考案に係る携帯端末の装飾シート、及び携帯端末の装飾カバーによれば、一枚の装飾シートにより観察方向により異なる絵柄を表示することができ、しかも装飾シート自体を容易に交換できる。
【００１３】
即ち、請求項１に記載の携帯端末の装飾シートによれば、レンチキュラーレンズシートの作用により視認方法により絵柄表示部の異なる絵柄が表示されるので、一枚の携帯端末の装飾シートで複数の絵柄を視認方向によって表示でき、変化に富み興味を引くことができる。
【００１４】
また、請求項２に記載の携帯端末の装飾シートによれば、シート基材、シート基材、及びレンチキュラーレンズシートが柔軟で薄いシート状部材で携帯端末の前記裏面を覆う形状に形成されているので、携帯端末に嵩張ることなく密着して配置できる。
【００１５】
また、請求項３に記載の携帯端末の装飾シートによれば、レンチキュラーレンズシートを通して異なる視認方向に３種類の絵柄を表示するので、携帯端末の装飾シートを異なる視線から観察すると、異なる絵柄を観察でき興味が引かれる。
【００１６】
更に、請求項４に係る携帯端末の装飾シートによれば、異なる複数の対象物の画像、対象物の動作を順次表示する絵柄、又は対象物の立体画像を表示する絵柄を表示できるので、携帯端末の装飾シートを異なる視線から観察することにより、異なる対象物の絵柄、分解写真のように動作を表示する絵柄、又は対象物の立体画像を観察でき興味が引かれる。
【００１７】
そして、請求項５に記載の携帯端末の装飾カバーによれば、装飾シートは携帯端末の背面部に配置され、透明なカバー部材の背面カバー部で覆われ、カバー部材は側面部で携帯端末に装着されているので、異なる視認方向から異なる絵柄を表示する装飾シートの表面視認可能に保護されるとともに、一枚の装飾シートであっても複数の絵柄を表示することができ、しかも装飾シート自体を容易に交換することができる。
【図面の簡単な説明】
【００１８】
【図１】実施形態に係る携帯端末の装飾シート、及び携帯端末の装飾カバーを示す分解斜視図である。
【図２】同装飾カバーを示すものであり、（ａ）は表示側からの斜視図、（ｂ）は背面側からの斜視図である。
【図３】同装飾シートの構成を示すものであり、（ａ）は図１中のＡ−Ａ線に相当する断面図、（ｂ）は同じく拡大断面図である。
【図４】異なった視認方法から同携帯端末の装飾シートを観察した状態を示すものであり、（ａ）は図３（ｂ）中のＡ方向、（ｂ）は図３（ｂ）中のＢ方向、（ｃ）は図３（ｂ）中のＣ方向から観察される絵柄を示す模式図である。
【考案を実施するための形態】
【００１９】
本考案を実施するための形態に係る携帯端末の装飾シート、及び携帯端末の装飾カバーについて説明する。
【００２０】
図１は実施形態に係る携帯端末の装飾シート、及び携帯端末の装飾カバーを示す分解斜視図である。本実施形態に係る装飾カバー３０は、装飾シート１０と、カバー部材２０とから構成される。装飾シート１０は、携帯端末であるスマートフォン４０の背面部４１に配置される。更に、この状態で、カバー部材２０が４０にはめ込まれる。
【００２１】
スマートフォン４０の背面部４１と反対側である表面部４２には、ディスプレイ等が配置され、背面部４１にはカメラレンズ４３、フラッシュ窓４４が配置される。
【００２２】
装飾シート１０は、背面部４１の形状と略同じ長方形状をなしており、スマートフォン４０の背面部４１を覆う。また、装飾シート１０には、カメラレンズ孔１５が形成されている。
【００２３】
図２は同装飾カバーを示すものであり、（ａ）は表示側からの斜視図、（ｂ）は背面側からの斜視図である。カバー部材２０は、透明の合成樹脂で形成されており、スマートフォン４０の背面部４１にカバー部材２０を配置した状態で、スマートフォン４０を背面から覆う。カバー部材２０は、背面部４１を覆う背面カバー部２１と、この背面カバー部２１の周囲に連続して形成され、スマートフォン４０の周側部４５、４６、４７、４８の一部を覆う側面部２２、２３、２４、２５を備える。
【００２４】
この側面部２２、２３、２４、２５がスマートフォン４０の周側部４５、４６、４７、４８にかぶさることで、装飾シート１０が配置されたスマートフォン４０に取り外し可能に取付けられる。側面部２２、２３、２４、２５には、スマートフォン４０に取付けられる各種コネクタの取付けや、スマートフォン４０の操作ボタンの操作を妨げないように切欠部２２ａ、２３ａ、２４ａ、２５ａが形成されている。
【００２５】
次に装飾シート１０について詳細に説明する。図３は同装飾シートの構成を示すものであり、（ａ）は図１中のＡ−Ａ線に相当する断面図、（ｂ）は同じく拡大断面図である。装飾シート１０は、薄い合成樹脂製のシート部材からなるシート基材１１と、このシート基材１１の反スマートフォン４０側に形成された絵柄表示部１２と、この絵柄表示部１２を覆うレンチキュラーレンズシート１３とからなる。
【００２６】
シート基材１１は、例えば０．２５ｍｍ程度の厚さを備えるが、スマートフォン４０に配置したとき邪魔にならない程度であれば、これより厚くてよい。合成樹脂製とすることで、曲げや折れに強いものにできる。
【００２７】
レンチキュラーレンズシート１３は、微小なシンドリカルレンズ１３−１、１３−２、１３−３、…がスマートフォン４０の長手方向に規則的に並べて配置されたシートとして構成される。本例では、シンドリカルレンズの配置密度を例えば、１６７ＬＰＩ（１インチに１６７本）としたが、この値には限らない。シンドリカルレンズを細かく配置することで、装飾シート１０を視認したとき、シンドリカルレンズが目立つのを防止できる。
【００２８】
また、絵柄表示部１２は、レンチキュラーレンズシート１３を通して、図中Ａ方向、Ｂ方向、Ｃ方向から観察したとき、図４に示したように、絵柄「Ａ」が観察できる外観１３Ａ、絵柄「Ｂ」が観察できる外観１３Ｂ、絵柄「Ｃ」が観察できる外観１３Ｃとなる。これは、スマートフォン４０を長手方向に傾けて観察することに相当する。
【００２９】
なお、図４では３つの絵柄として「Ａ」、「Ｂ」、「Ｃ」の文字を表示しているが、絵柄は任意のものを採用できる。３つで組みとなる絵柄、例えば「牡丹」、「桜」、「松」の絵柄を選択できるほか、２又は３以上の異なる絵柄を表示できる。
【００３０】
このような表示をするため、本実施形態では、絵柄表示部１２には、図３（ｂ）に示すように、シンドリカルレンズ１３−１、１３−２、１３−３…のそれぞれに対応する領域を、シンドリカルレンズ１３−１、１３−２、１３―３の配設方向（図中上下方向）に３分割し、各分割領域１２Ａ、１２Ｂ、１２Ｃに表示すべき絵柄を分割して交互に表示している。これにより、図中Ａ方向からは、複数の分割領域１２Ａだけが連続して観察でき、全体として「Ａ」の絵柄が観察できる。同様に、Ｂ方向からは「Ｂ」の絵柄、Ｃ方向からは「Ｃ」の絵柄が観察できる。２、又は３以上の絵柄を表示する場合には、必要な数の絵柄を当該数分に分割して順次配置する。
【００３１】
また、本考案に係る携帯端末の装飾シートでは、複数の絵柄として、対象物の動作を順次表示する絵柄、例えばスポーツ選手のフォームを時間的に表示する絵柄を表示できる。これによれば、例えば野球選手のバッティングフォームを例えば８コマの連続写真として動的に表示でき、観察者の興味を引くことができる。
【００３２】
更に、複数の絵柄として１つの対象物の立体画像を表示する絵柄、即ち、異なった方向からの観察画像を多数配置し、観察者の視差により対処物の立体像を認識させることができる。これにより、対象物、例えば建物や仏像を立体的に表示することができ、観察者の興味を引くことができる。
【００３３】
本実施形態に係る装飾シート１０によれば、観察方向により、複数の対象物の画像、対象物の動作がわかる画像、又は対象物の立体画像を表示できるので、観察者の興味を引く。また、装飾シート１０は、スマートフォン４０の背面部４１に装飾カバー３０で覆われて配置されているので、装飾シート自体を容易に交換できる。このため、土産品や販売促進のために使用することができる。
【００３４】
なお、上記実施形態では、携帯端末としてスマートフォンを例としたが、他の携帯端末、例えばタブレット型コンピュータ、ゲーム端末等に適用できる。また、レンチキュラーレンズシートとしてシンドリカルレンズがスマートフォンの長手方向に並んだものを例としたが、シンドリカルレンズがスマートフォンの短手方向に並ぶようにし、これに対応して絵柄表示部を分割して描くようにしてもよい。この場合は、スマートフォンを幅方向に傾けたとき絵柄が変化する。
【産業上の利用可能性】
【００３５】
本考案に係る携帯端末の装飾シート、及び携帯端末の装飾カバーは、一枚の装飾シートにより観察方向により異なる絵柄を表示することができ、しかも装飾シート自体を容易に交換できるという効果を有し、産業上の利用可能性がある。
【符号の説明】
【００３６】
１０：装飾シート
１１：シート基材
１２：絵柄表示部
１２Ａ、１２Ｂ、１２Ｃ：分割領域
１３：レンチキュラーレンズシート
１３−１、１３−２、１３−３、…：シンドリカルレンズ
１５：カメラレンズ孔
２０：カバー部材
２１：背面カバー部
２２、２３、２４、２５：側面部
２２ａ、２３ａ、２４ａ、２５ａ：切欠部
３０：装飾カバー
４０：スマートフォン（携帯端末）
４１：背面部
４２：表面部
４３：カメラレンズ
４４：フラッシュ窓
４５、４６、４７、４８：周側部
【図１】
0003209850.tif 000003
【図２】
0003209850.tif 000004
【図３】
0003209850.tif 000005
【図４】
0003209850.tif 000006
【手続補正書】
【提出日】平成29年2月7日(2017.2.7)
【手続補正１】
【補正対象書類名】実用新案登録請求の範囲
【補正対象項目名】請求項５
【補正方法】変更
【補正の内容】
【請求項５】
前記携帯端末の前記背面部を覆う透明部材で形成された背面カバー部及び前記背面カバー部に連続して前記携帯端末の側面部の少なくとも一部を覆って前記携帯端末に装着可能とする側面部を備えるカバー部材と、前記携帯端末の前記背面部と前記カバー部材の前記背面カバー部との間に挟み込める大きさである請求項１から請求項４までの何れか一項に記載の携帯端末の装飾シートとを備えることを特徴とする携帯端末の装飾カバー。
【手続補正２】
【補正対象書類名】明細書
【補正対象項目名】００１１
【補正方法】変更
【補正の内容】
【００１１】
同じく請求項５に記載の考案は、前記携帯端末の前記背面部を覆う透明部材で形成された背面カバー部及び前記背面カバー部に連続して前記携帯端末の側面部の少なくとも一部を覆って前記携帯端末に装着可能とする側面部を備えるカバー部材と、前記携帯端末の前記背面部と前記カバー部材の前記背面カバー部との間に挟み込める大きさである前記携帯端末の装飾シートとを備えることを特徴とする携帯端末の装飾カバーである。
本考案によれば、装飾シートは携帯端末の背面部に配置され、透明なカバー部材の背面カバー部で覆われ、カバー部材は側面部で携帯端末に装着されている。
よって、異なる視認方向から異なる絵柄を表示する装飾シートの表面視認可能に保護されるとともに、一枚の装飾シートであっても複数の絵柄を表示することができ、しかも装飾シート自体を容易に交換することができる。